【手続補正書】
【提出日】平成16年5月13日(2004.5.13)
【手続補正１】
【補正対象書類名】明細書
【補正対象項目名】特許請求の範囲
【補正方法】変更
【補正の内容】
【特許請求の範囲】
【請求項１】
３以上の整数をｎとして、ｎ種の値を取り得る多値データが記録された情報記録媒体から読み取ったデータが前記ｎ種のうちどの値かを判定する多値データ判定方法であって、
２以上の整数をｍとして、ｍ個連続する前記多値データの全ての組み合わせについて、その組み合わせの前記多値データを読み取った場合の読取信号値を記憶したテーブルを作成し、
前記情報記録媒体に記録されている前記多値データを読み取って得た再生信号の信号値を所定の閾値によって前記多値データのいずれかの値に仮分類し、
前記再生信号が前記ｎ種の値のうちｘ番目の値に仮分類された場合に、１以上の整数をｋとして、前記ｎ種の値のうちｘ−ｋ番目からｘ＋ｋ番目までの２ｋ＋１個の値を、読み取った多値データについての判定候補とし、
連続するｍ個の再生信号に対する前記判定候補の組み合わせのうち、前記テーブルに記憶されている読取信号値と上記変換後の再生信号の信号値との誤差が最小になる組み合わせを求め、該組み合わせを読み取った前記多値データの値の組み合わせであると判定することを特徴とする多値データ判定方法。
【請求項２】
請求項１記載の多値データ判定方法であって、
前記仮分類は、前記再生信号に波形等化処理を行った後に所定の閾値によって行うことを特徴とする多値データ判定方法。
【請求項３】
請求項１又は２記載の多値データ判定方法であって、
前記判定候補の設定の際に、前記ｘ−ｋ番目からｘ＋ｋ番目までの値のうち１番目からｎ番目までに含まれない値は判定候補から除外することを特徴とする多値データ判定方法。
【請求項４】
請求項１乃至３のいずれか一項に記載の多値データ判定方法であって、
前記テーブルは、ｍ個連続する前記多値データの全ての組み合わせに対応するデータを基準データとして予め前記情報記録媒体に記録しておき、該データのそれぞれの組み合わせを読み取って得た再生信号の信号値を前記読取信号値として記憶して作成することを特徴とする多値データ判定方法。
【請求項５】
請求項４記載の多値データ判定方法であって、
前記テーブルは、前記基準データを複数回読み取り、各々の読み取りで得た再生信号の信号値の平均値を前記読取信号値として記憶して作成することを特徴とする多値データ判定方法。
【請求項６】
請求項４記載の多値データ判定方法であって、
前記テーブルは、予め複数組の前記基準データを前記情報記録媒体に記録しておき、該複数組の基準データをそれぞれ読み取り、各々の読み取りで得た再生信号の信号値の平均値を前記読取信号値として記憶して作成することを特徴とする多値データ判定方法。
【請求項７】
請求項４記載の多値データ判定方法であって、
前記テーブルは、予め複数組の前記基準データを前記情報記録媒体に記録しておき、該複数組の基準データをそれぞれ複数回ずつ読み取り、各々の読み取りで得た再生信号の信号値の平均値を前記読取信号値として記憶して作成することを特徴とする多値データ判定方法。
【請求項８】
請求項４乃至７のいずれか一項に記載の多値データ判定方法であって、
前記テーブルは、前記基準データを読み取って得た再生信号に対して波形等化処理を行って得た信号を用いて作成することを特徴とする多値データ判定方法。
【請求項９】
請求項１乃至８のいずれか一項に記載の多値データ判定方法であって、
前記テーブルに記憶している読取信号値を参照して前記多値データの各値に対する読取信号値の分布を求め、該分布から前記多値データの隣接する値の間の閾値を決定して前記所定の閾値を定めることを特徴とする多値データ判定方法。
【請求項１０】
請求項９記載の多値データ判定方法であって、
前記多値データの隣接する値に対する前記読取信号値の分布が離れている場合に、該隣接する値に対する分布の間に当該隣接する値の間の閾値を定めることを特徴とする多値データ判定方法。
【請求項１１】
請求項９記載の多値データ判定方法であって、
前記多値データの隣接する値に対する前記読取信号値の分布が重なっている場合に、該隣接する値に対する分布の分布曲線の交点に対応する読取信号値に当該隣接する値の間の閾値を定めることを特徴とする多値データ判定方法。
【請求項１２】
請求項１乃至１１のいずれか一項に記載の多値データ判定方法であって、
読み取った前記多値データの値の組み合わせであると判定した前記連続するｍ個の再生信号に対する判定候補の組み合わせのうちの一部の判定候補のみを最終判定結果として採用することを特徴とする多値データ判定方法。
【請求項１３】
３以上の整数をｎとして、ｎ種の値を取り得る多値データが記録された情報記録媒体であって、２以上の整数をｍとして、ｍ個連続する前記多値データの全ての組み合わせに対応するデータが、ｍ個連続する前記多値データを読み取った場合の読取信号値を全ての組み合わせについて記憶したテーブルを作成するための基準データとして記録されていることを特徴とする情報記録媒体。
【請求項１４】
請求項１３記載の情報記録媒体であって、
円盤状の形状であり、
前記基準データが当該情報記録媒体の内周部、外周部及びその中間部に記録されていることを特徴とする情報記録媒体。
【請求項１５】
請求項１３記載の情報記録媒体であって、
前記基準データが、情報を書き換または追記する情報量単位毎に記録されていることを特徴とする情報記録媒体。
【手続補正２】
【補正対象書類名】明細書
【補正対象項目名】０００６
【補正方法】変更
【補正の内容】
【０００６】
【課題を解決するための手段】
上記の目的を達成するため、この発明の多値データ判定方法は、３以上の整数をｎとして、ｎ種の値を取り得る多値データが記録された情報記録媒体から読み取ったデータが上記ｎ種のうちどの値かを判定する多値データ判定方法において、２以上の整数をｍとして、ｍ個連続する上記多値データの全ての組み合わせについて、その組み合わせの上記多値データを読み取った場合の読取信号値を記憶したテーブルを作成し、上記情報記録媒体に記録されている上記多値データを読み取って得た再生信号の信号値を所定の閾値によって上記多値データのいずれかの値に仮分類し、上記再生信号が上記ｎ種の値のうちｘ番目の値に仮分類された場合に、１以上の整数をｋとして、上記ｎ種の値のうちｘ−ｋ番目からｘ＋ｋ番目までの２ｋ＋１個の値を、読み取った多値データについての判定候補とし、連続するｍ個の再生信号に対する上記判定候補の組み合わせのうち、上記テーブルに記憶されている読取信号値と上記変換後の再生信号の信号値との誤差が最小になる組み合わせを求め、その組み合わせを読み取った上記多値データの値の組み合わせであると判定することを特徴とする。
【手続補正３】
【補正対象書類名】明細書
【補正対象項目名】０００７
【補正方法】変更
【補正の内容】
【０００７】
このような多値データ判定方法において、上記仮分類を、上記再生信号に波形等化処理を行った後に所定の閾値によって行うようにするとよい。
さらに、上記判定候補の設定の際に、上記ｘ−ｋ番目からｘ＋ｋ番目までの値のうち１番目からｎ番目までに含まれない値は判定候補から除外するようにするとよい。
【手続補正４】
【補正対象書類名】明細書
【補正対象項目名】０００８
【補正方法】変更
【補正の内容】
【０００８】
さらに、上記テーブルは、ｍ個連続する上記多値データの全ての組み合わせに対応するデータを基準データとして予め上記情報記録媒体に記録しておき、そのデータのそれぞれの組み合わせを読み取って得た再生信号の信号値を上記読取信号値として記憶して作成するようにするとよい。
このとき、上記テーブルを、上記基準データを複数回読み取り、各々の読み取りで得た再生信号の信号値の平均値を上記読取信号値として記憶して作成するようにするとよい。
【手続補正５】
【補正対象書類名】明細書
【補正対象項目名】０００９
【補正方法】変更
【補正の内容】
【０００９】
あるいは、上記テーブルを、予め複数組の上記基準データを上記情報記録媒体に記録しておき、その複数組の基準データをそれぞれ読み取り、各々の読み取りで得た再生信号の信号値の平均値を上記読取信号値として記憶して作成するようにしてもよい。
あるいは、上記テーブルを、予め複数組の上記基準データを上記情報記録媒体に記録しておき、その複数組の基準データをそれぞれ複数回ずつ読み取り、各々の読み取りで得た再生信号の信号値の平均値を上記読取信号値として記憶して作成するようにしてもよい。
【手続補正６】
【補正対象書類名】明細書
【補正対象項目名】００１０
【補正方法】変更
【補正の内容】
【００１０】
これらの多値データ判定方法において、上記テーブルを、上記基準データを読み取って得た再生信号に対して波形等化処理を行って得た信号を用いて作成するようにするとよい。
また、これらの多値データ判定方法において、上記テーブルに記憶している読取信号値を参照して上記多値データの各値に対する読取信号値の分布を求め、その分布から上記多値データの隣接する値の間の閾値を決定して上記所定の閾値を定めるようにするとよい。